(57)【要約】【課題】ディスプレイ部とタッチパネルとの間隔変化を防止することでタッチ信頼性を確保できるタッチパネルを含むディスプレイ装置を提供する。【解決手段】本発明のタッチパネルを含むディスプレイ装置１０は、ウィンドウ基板１１０およびウィンドウ基板１１０の一面に形成された電極パターン１１１を含むタッチパネル１６０と、タッチパネル１６０の一面と接合するディスプレイ部１５０と、を含み、ディスプレイ部１５０と電極パターン１１１が対向する離隔空間Ｓにストッパー１４０が形成されるものである。【選択図】図１
2014174978.tif 000002
【特許請求の範囲】
【請求項１】
ウィンドウ基板および前記ウィンドウ基板の一面に形成された電極パターンを含むタッチパネルと、
前記タッチパネルの一面と接合するディスプレイ部と、を含み、
前記ディスプレイ部と前記電極パターンが対向する離隔空間にストッパーが形成されることを特徴とするタッチパネルを含むディスプレイ装置。
【請求項２】
前記ディスプレイ部と前記タッチパネルとの間に離隔空間が形成されるように、前記ディスプレイ部の縁部と前記タッチパネルとを接合する接着層をさらに含むことを特徴とする請求項１に記載のタッチパネルを含むディスプレイ装置。
【請求項３】
前記離隔空間の高さは、２００μｍ以上３００μｍ以下であることを特徴とする請求項１に記載のタッチパネルを含むディスプレイ装置。
【請求項４】
前記ストッパーの高さは、前記離隔空間の高さと同一であるか小さいことを特徴とする請求項１に記載のタッチパネルを含むディスプレイ装置。
【請求項５】
前記ストッパーは、前記電極パターンの一面の中心に形成されることを特徴とする請求項１に記載のタッチパネルを含むディスプレイ装置。
【請求項６】
少なくとも一つ以上の前記ストッパーが、前記電極パターンの一面に放射方向に離隔して形成されることを特徴とする請求項１に記載のタッチパネルを含むディスプレイ装置。
【請求項７】
前記ディスプレイ部は、ＬＣＤ、ＣＲＴ、ＬＥＤまたはＯＬＥＤであることを特徴とする請求項１に記載のタッチパネルを含むディスプレイ装置。
【請求項８】
ウィンドウ基板、前記ウィンドウ基板の背面に一方向に互いに平行に形成される第１電極パターン、前記第１電極パターン上に形成された支持層、および前記支持層上に形成されて前記第１電極パターンに交差する方向に互いに平行に形成される第２電極パターンを含むタッチパネルと、
前記タッチパネルの一面と接合するディスプレイ部と、
前記ディスプレイ部と前記第２電極パターンが対向して離隔空間を形成するように、前記ディスプレイ部の縁部と前記タッチパネルとを接合する接着層と、
前記離隔空間に形成されたストッパーと、を含むことを特徴とするタッチパネルを含むディスプレイ装置。
【請求項９】
前記電極パターンは、メッシュパターンであることを特徴とする請求項８に記載のタッチパネルを含むディスプレイ装置。
【請求項１０】
前記接着層の高さは、２００μｍ以上３００μｍ以下であることを特徴とする請求項８に記載のタッチパネルを含むディスプレイ装置。
【請求項１１】
前記ストッパーの高さは、前記接着層の高さと同一であることを特徴とする請求項８に記載のタッチパネルを含むディスプレイ装置。
【請求項１２】
前記ストッパーは、前記第２電極パターンの一面の中心に形成されることを特徴とする請求項８に記載のタッチパネルを含むディスプレイ装置。
【請求項１３】
少なくとも一つ以上の前記ストッパーが、前記第２電極パターンの一面に放射方向に離隔して形成されることを特徴とする請求項８に記載のタッチパネルを含むディスプレイ装置。
【請求項１４】
前記ディスプレイ部は、ＬＣＤ、ＣＲＴ、ＬＥＤまたはＯＬＥＤであることを特徴とする請求項８に記載のタッチパネルを含むディスプレイ装置。
【請求項１５】
ウィンドウ基板、透明基板、前記透明基板の一面に一方向に互いに平行に形成される第１電極パターン、および前記透明基板の他面に前記第１電極パターンに交差する方向に互いに平行に形成される第２電極パターンを含むタッチパネルと、
前記タッチパネルの一面と接合するディスプレイ部と、
前記ディスプレイ部と前記第２電極パターンが対向して離隔空間を形成するように、前記ディスプレイ部の縁部と前記タッチパネルとを接合する接着層と、
前記離隔空間に形成されたストッパーと、を含むことを特徴とするタッチパネルを含むディスプレイ装置。
【請求項１６】
前記接着層の高さは、２００μｍ以上３００μｍ以下であることを特徴とする請求項１５に記載のタッチパネルを含むディスプレイ装置。
【請求項１７】
前記ストッパーの高さは、前記接着層の高さと同一であるか小さいことを特徴とする請求項１５に記載のタッチパネルを含むディスプレイ装置。
【請求項１８】
前記ストッパーは、前記第２電極パターンの一面の中心に形成されることを特徴とする請求項１５に記載のタッチパネルを含むディスプレイ装置。
【請求項１９】
少なくとも一つ以上の前記ストッパーが、前記第２電極パターンの一面に放射方向に離隔して形成されることを特徴とする請求項１５に記載のタッチパネルを含むディスプレイ装置。
【請求項２０】
前記ディスプレイ部は、ＬＣＤ、ＣＲＴ、ＬＥＤまたはＯＬＥＤであることを特徴とする請求項１５に記載のタッチパネルを含むディスプレイ装置。
【発明の詳細な説明】
【技術分野】
【０００１】
本発明は、タッチパネルを含むディスプレイ装置に関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を利用してテキストおよびグラフィック処理を行う。
【０００３】
しかし、入力装置に関する技術は、一般的な機能を満たす水準を越えて、高信頼性、耐久性、革新性、設計および加工に関する技術などが注目されており、このような目的を達成するために、テキスト、グラフィックなどの情報入力が可能な入力装置として、タッチパネル（Ｔｏｕｃｈ  Ｐａｎｅｌ）が開発された。
【０００４】
また、タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）および赤外線方式（Ｉｎｆｒａｒｅｄ  Ｔｙｐｅ）に区分される。このような様々な方式のタッチパネルは、信号増幅の問題、解像度の差、設計および加工技術の難易度、光学的特性、電気的特性、機械的特性、耐環境特性、入力特性、耐久性および経済性を考慮して電子製品に採用されるが、現在もっとも幅広い分野で用いられている方式は、抵抗膜方式タッチパネルおよび静電容量方式タッチパネルである。
【０００５】
最近、スマート機器の発展に伴い、ほとんどの電子機器、すなわち、携帯電話、タブレット、ウルトラＰＣ、モニター、ＴＶを含む白物家電にタッチパネルが適用されており、これら機器に適用されるタッチパネルは、技術が発展し、競争が激しくなるにつれて市場のニーズを満たすために、高仕様の性能を有し、かつ厚さはより薄くなり、コストは安くなる方向に製作されている。
【０００６】
したがって、このような市場のニーズを満たすための努力として、タッチパネルは、特許文献１のように、構造面では、既存の２ｌａｙｅｒから１ｌａｙｅｒに変更され、材料面では、希土類金属の一つであるＩＴＯ透明電極を代替するための新しい電極材料に変更することで、構造的利点および費用的利点を満たすことができた。
【０００７】
しかし、タッチパネルの性能面では、タッチパネルとディスプレイとの間隔変化によるタッチ誤動作（背面タッチ）と言う副作用が発生した。すなわち、非伝導体（非導電体）による圧力がタッチパネルに加えられた場合に、タッチパネルとディスプレイとの間隔変化によるキャパシタンスが変化し、タッチモジュールでは、前記キャパシタンスの変化をユーザのタッチ入力によるものと認識するタッチ誤動作の問題が発生し、このような現象は、小型パネルから大型パネルになるほどさらにひどくなった。
【先行技術文献】
【特許文献】
【０００８】
【特許文献１】韓国公開特許第２０１３−００１３３５０号公報
【発明の概要】
【発明が解決しようとする課題】
【０００９】
本発明は、上述した従来技術の問題点を解決するためのものであり、本発明のディスプレイ部とタッチパネルとの間の離隔空間にストッパーを形成して、ディスプレイ部とタッチパネルとの間隔変化を防止することでタッチ信頼性を確保できるタッチパネルを含むディスプレイ装置を提供することを目的とする。
【課題を解決するための手段】
【００１０】
本発明の第１実施例に係るタッチパネルを含むディスプレイ装置は、ウィンドウ基板および前記ウィンドウ基板の一面に形成された電極パターンを含むタッチパネルと、前記タッチパネルの一面と接合するディスプレイ部と、を含み、前記ディスプレイ部と前記電極パターンが対向する離隔空間にストッパーが形成されることを特徴とする。
【００１１】
また、前記ディスプレイ部と前記タッチパネルとの間に離隔空間が形成されるように、前記ディスプレイ部の縁部と前記タッチパネルとを接合する接着層をさらに含むことを特徴とする。
【００１２】
また、離隔空間の高さは、２００μｍ以上３００μｍ以下であることを特徴とする。
【００１３】
また、前記ストッパーの高さは、前記離隔空間の高さと同一であるか小さいことを特徴とする。
【００１４】
また、前記ストッパーは、前記電極パターンの一面の中心に形成されることを特徴とする。
【００１５】
また、少なくとも一つ以上の前記ストッパーが、前記電極パターンの一面に放射方向に離隔して形成されることを特徴とする。
【００１６】
また、前記ディスプレイ部は、ＬＣＤ、ＣＲＴ、ＬＥＤまたはＯＬＥＤであることを特徴とする。
【００１７】
本発明の第２実施例に係るタッチパネルを含むディスプレイ装置は、ウィンドウ基板、前記ウィンドウ基板の背面に一方向に互いに平行に形成される第１電極パターン、前記第１電極パターン上に形成された支持層、および前記支持層上に形成されて前記第１電極パターンに交差する方向に互いに平行に形成される第２電極パターンを含むタッチパネルと、前記タッチパネルの一面と接合するディスプレイ部と、前記ディスプレイ部と前記第２電極パターンが対向して離隔空間を形成するように、前記ディスプレイ部の縁部と前記タッチパネルとを接合する接着層と、前記離隔空間に形成されたストッパーと、を含むことを特徴とする。
【００１８】
また、前記電極パターンは、メッシュパターンであることを特徴とする。
【００１９】
また、前記接着層の高さは、２００μｍ以上３００μｍ以下であることを特徴とする。
【００２０】
また、前記ストッパーの高さは、前記接着層の高さと同一であることを特徴とする。
【００２１】
また、前記ストッパーは、前記第２電極パターンの一面の中心に形成されることを特徴とする。
【００２２】
また、少なくとも一つ以上の前記ストッパーが、前記第２電極パターンの一面に放射方向に離隔して形成されることを特徴とする。
【００２３】
また、前記ディスプレイ部は、ＬＣＤ、ＣＲＴ、ＬＥＤまたはＯＬＥＤであることを特徴とする。
【００２４】
本発明の第３実施例に係るタッチパネルを含むディスプレイ装置は、ウィンドウ基板、透明基板、前記透明基板の一面に一方向に互いに平行に形成される第１電極パターン、および前記透明基板の他面に前記第１電極パターンに交差する方向に互いに平行に形成される第２電極パターンを含むタッチパネルと、前記タッチパネルの一面と接合するディスプレイ部と、前記ディスプレイ部と前記第２電極パターンが対向して離隔空間を形成するように、前記ディスプレイ部の縁部と前記タッチパネルとを接合する接着層と、前記離隔空間に形成されたストッパーと、を含むことを特徴とする。
【００２５】
また、前記接着層の高さは、２００μｍ以上３００μｍ以下であることを特徴とする。
【００２６】
また、前記ストッパーの高さは、前記接着層の高さと同一であるか小さいことを特徴とする。
【００２７】
また、前記ストッパーは、前記第２電極パターンの一面の中心に形成されることを特徴とする。
【００２８】
また、少なくとも一つ以上の前記ストッパーが、前記第２電極パターンの一面に放射方向に離隔して形成されることを特徴とする。
【００２９】
また、前記ディスプレイ部は、ＬＣＤ、ＣＲＴ、ＬＥＤまたはＯＬＥＤであることを特徴とする。
【発明の効果】
【００３０】
本発明によれば、ディスプレイ部とタッチパネルとの間の離隔空間にストッパーを形成して、ディスプレイ部とタッチパネルとの間隔変化によるタッチ誤動作を防止することでタッチパネルのタッチ信頼性を確保することができる。
【００３１】
また、本発明によれば、タッチパネルの大きさに応じてストッパーを様々な形態で配置して、大型タッチパネルの長期使用によるタッチパネルの歪み現象を防止することでタッチパネルの耐久性を向上させることができる。
【００３２】
更に、本発明によれば、タッチパネルとディスプレイ部との間に離隔空間が形成されるように、ディスプレイ部の縁部とタッチパネルとの間に接着層を形成することで、ディスプレイ部に出力される画像に対する光透過率が増加し、画像に対するユーザの視認性を改善することができる。
【図面の簡単な説明】
【００３３】
【図１】本発明の第１実施例に係るタッチパネルを含むディスプレイ装置の断面図である。
【図２】（ａ）と（ｂ）は、本発明のストッパーが形成される位置を示す平面図である。
【図３】（ａ）は、本発明の非導電体の圧力によるタッチパネルとディスプレイ部との間の間隔変化を示す断面図であり、（ｂ）は、本発明の非導電体の圧力またはユーザのタッチがある場合の検知信号の変化を示すグラフである。
【図４】本発明の第２実施例に係るタッチパネルを含むディスプレイ装置の断面図である。
【図５】本発明の第３実施例に係るタッチパネルを含むディスプレイ装置の断面図である。
【発明を実施するための形態】
【００３４】
本発明の目的、特定の長所および新規の特徴は、添付図面に係る以下の詳細な説明および好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３５】
以下、添付図面を参照して、本発明の好ましい実施例を詳細に説明する。
【００３６】
図１は、本発明の第１実施例に係るタッチパネルを含むディスプレイ装置の断面図である。
【００３７】
図１に示すように、本発明の第１実施例に係るタッチパネルを含むディスプレイ装置１０は、ウィンドウ基板１１０および前記ウィンドウ基板１１０の一面に形成された電極パターン１１１を含むタッチパネル１６０と、前記タッチパネル１６０の一面と接合するディスプレイ部１５０と、を含み、前記ディスプレイ部１５０と前記電極パターン１１１が対向する離隔空間Ｓにストッパー１４０が形成されることを特徴とする。
【００３８】
ウィンドウ基板１１０は、タッチパネル１６０の最外側に配置されてユーザのタッチの入力を受け、強化ガラス等で形成されて保護層の役割を同時に行うことができる。また、ウィンドウ基板１１０の背面には、電極パターン１１１が形成されることがあるため、ウィンドウ基板１１０と電極パターン１１１との間の接着力を向上させるために、ウィンドウ基板１１０の背面に高周波処理またはプライマー（ｐｒｉｍｅｒ）処理などを施して、表面処理層（図示せず）を形成することができる。
【００３９】
電極パターン１１１は、タッチの入力手段によって信号を発生させ、制御部（図示せず）からタッチ座標を認識できるようにする役割を行う。また、電極パターン１１１は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせを用いてメッシュパターン（Ｍｅｓｈ  Ｐａｔｔｅｒｎ）に形成することができ、少なくとも一つ以上の単位パターン（図示せず）が連続して配列されることで形成することができる。ここで、単位パターン（図示せず）の形状は、四角形、三角形、ダイヤモンド形およびその他の様々な形状から選択することができ、電極パターン１１１は、単層（バー型またはトゥース型等）または２層構造（ブリッジ型または格子型）に形成することができる。また、電極パターン１１１上には、物理的または化学的損傷を防止するために、ＯＣＡ（光学透明接着剤）からなる保護層（図示せず）を形成することができる。
【００４０】
一方、電極パターン１１１は、上述した金属以外にも銀塩乳剤層を露光／現像して形成された金属銀、ＩＴＯ（Ｉｎｄｉｕｍ  Ｔｈｉｎ  Ｏｘｉｄｅ）などの金属酸化物や、柔軟性に優れ、コーティング工程が単純なＰＥＤＯＴ／ＰＳＳなどの伝導性高分子を用いて形成することもできる。
【００４１】
ディスプレイ部１５０は、タッチパネル１６０一面に接合され、データを視覚的に画面に出力する表示装置であり、主に、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のようなものからなることができ、必ずしもこれに限定されるものではない。
【００４２】
接着層１３０は、ベゼル領域Ｒ１と対応し、ディスプレイ部１５０と前記タッチパネル１６０との間に離隔空間Ｓが形成されるように、前記ディスプレイ部１５０の縁部と前記タッチパネル１６０とを接合し、光学透明接着剤（Ｏｐｔｉｃａｌ  Ｃｌｅａｒ  Ａｄｈｅｓｉｖｅ、ＯＣＡ）または両面接着テープ（Ｄｏｕｂｌｅ  Ａｄｈｅｓｉｖｅ  Ｔａｐｅ、ＤＡＴ）を用いることができる。また、好ましくは、接着層１３０の高さｈ１（図３参照）は、２００μｍ以上３００μｍ以下であることができる。
【００４３】
したがって、前記のように、接着層１３０がタッチパネル１６０とディスプレイ部１５０との間に離隔空間Ｓが形成されるように、両面接着テープ（Ｄｏｕｂｌｅ  Ａｄｈｅｓｉｖｅ  Ｔａｐｅ、ＤＡＴ）を用いてディスプレイ部１５０の縁部とタッチパネル１６０との間に形成される場合には、ディスプレイ部１５０からの光透過率が増加し、画像に対するユーザの視認性を改善することができる。
【００４４】
ストッパー１４０は、タッチパネル１６０とディスプレイ部１５０との間の間隔を一定に維持するために、ディスプレイ部１５０と電極パターン１１１が対向する離隔空間Ｓに形成され、光学透明接着剤（Ｏｐｔｉｃａｌ  Ｃｌｅａｒ  Ａｄｈｅｓｉｖｅ、ＯＣＡ）、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）を用いることができるが、これに限定されず、透明な材質と、タッチパネル１６０とディスプレイ部１５０との間の間隔を維持できるほどの剛性を有する物質であれば用いることができる。また、ストッパー１４０は、電極パターン１１１の一面に、打ち抜き方式またはスクリーン印刷方式等で形成することができる。
【００４５】
以下、タッチパネル１６０とディスプレイ部１５０との間に形成されたストッパー１４０の配置構造および作用効果についてより詳細に説明する。
【００４６】
図２の（ａ）と（ｂ）は、本発明のストッパーが形成される位置を示す平面図であり、図３の（ａ）は、本発明の非導電体の圧力によるタッチパネルとディスプレイ部との間の間隔変化を示す断面図であり、図３の（ｂ）は、本発明の非導電体の圧力またはユーザのタッチがある場合の検知信号の変化を示すグラフである。
【００４７】
ストッパー１４０は、図２の（ａ）に示すように、ウィンドウ基板１１０のｖｉｅｗｉｎｇ領域Ｒ２内に形成された電極パターン１１１の一面の中心に形成することができ、図２の（ｂ）に示すように、少なくとも一つ以上のストッパー１４０が、電極パターン１１１の一面に放射方向に離隔して形成することができる。
【００４８】
したがって、前記のような構造により、非導電体の圧力がある場合にもタッチパネル１６０とディスプレイ部１５０との間の間隔（離隔空間Ｓ）を維持することができる。また、タッチパネル１６０の大きさに応じてストッパー１４０を様々な形態で配置して、大型タッチパネルの長期使用によるタッチパネル１６０の歪み現象を防止することでタッチパネル１６０の耐久性を向上させることができる。
【００４９】
また、図３の（ａ）に示すように、ストッパー１４０の高さｈ２が接着層１３０の高さｈ１より小さい（ｈ２＜ｈ１）場合として、非伝導体の圧力がタッチパネル１６０上に作用する場合、タッチパネル１６０は、ストッパー１４０の形成された高さｈ２まで歪むｅことで、タッチパネル１６０とディスプレイ部１５０との間の間隔変化によるキャパシタンスが変化し、タッチパネル１６０は、これをユーザの入力があると誤認する可能性がある。この際、ストッパーの高さｈ２と接着層の高さｈ１との関係に応じてタッチパネル１６０がディスプレイ部１５０とタッチパネル１６０との間の間隔変化によるキャパシタンスの変化をユーザのタッチ入力と認識するか否かが決定されるため、以下、これについて説明する。
【００５０】
図３の（ｂ）は、非導電体の圧力またはユーザのタッチ入力がある区間Ｗでの検知信号（Ｂａｓｅｌｉｎｅ）の変化とタッチ入力有無判断閾値（ｔｏｕｃｈ  ｔｈｒｅｓｈｏｌｄ）との関係を示すグラフである。ａは、ストッパー１４０の高さｈ２と接着層１３０の高さが同一である場合（ｈ１＝ｈ２）に非導電体の圧力がタッチパネルに加えられた状態での前記検知信号の変化を示し、ｂは、ストッパー１４０の高さｈ２が接着層１３０の高さの８０％の場合に非導電体の圧力が加えられた状態での前記検知信号の変化を示し、ｃは、ストッパー１４０の高さｈ２が接着層１３０の高さの３０％の場合に非導電体の圧力が加えられた状態での前記検知信号の変化を示し、ｄは、ユーザのタッチ入力がある状態での前記検知信号の変化を示す。
【００５１】
すなわち、ｉ）ストッパー１４０の高さｈ２が接着層１３０の高さの８０％の場合（ｂ）には、非伝導体による圧力がタッチパネル１６０に加えられても検知信号（Ｂａｓｅｌｉｎｅ）が前記タッチ入力有無判断閾値（ｔｏｕｃｈ  ｔｈｒｅｓｈｏｌｄ）以下に低下しなかったため、タッチパネル１６０は、これをユーザのタッチ入力として認識しない。
【００５２】
しかし、ｉｉ）ストッパー１４０の高さｈ２が接着層１３０の高さの３０％の場合には、非伝導体による圧力がタッチパネル１６０に加えられると、検知信号（Ｂａｓｅｌｉｎｅ）が前記タッチ入力有無判断閾値（ｔｏｕｃｈ  ｔｈｒｅｓｈｏｌｄ）以下に低下したため、タッチパネル１６０は、これをユーザのタッチ入力があると認識することになる。
【００５３】
ここで、ストッパー１４０と接着層１３０の高さが同一である場合（ａ）（ｈ１＝ｈ２）に、タッチパネル１６０の一面に形成されたストッパー１４０が支持台の役割をすることにより、非伝導体による圧力が加えられてもタッチパネル１６０とディスプレイ部１５０との間の間隔変化が発生しなくなるため、背面タッチによるタッチパネル１６０の誤作動問題が発生しない。
【００５４】
万が一、ストッパー１４０と接着層１３０の高さが同一でない場合（ｂ、ｃ）（ｈ１≠ｈ２）でも、非伝導体の圧力が作用する場合に、前記検知信号（Ｂａｓｅｌｉｎｅ）が前記タッチ入力有無判断閾値（ｔｏｕｃｈ  ｔｈｒｅｓｈｏｌｄ）の設定値以下に低下しないようにストッパー１４０の高さｈ２を調節することにより、タッチパネル１６０とディスプレイ部１５０との間の間隔変化によるタッチパネル１６０の誤動作を防止することができる。
【００５５】
前記で説明したように、タッチパネルを含むディスプレイ装置１０は、タッチパネル１６０とディスプレイ部１５０の離隔空間Ｓに形成されたストッパー１４０により、ディスプレイ部１５０とタッチパネル１６０との間隔変化によるキャパシタンスの変化を防止してタッチパネル１６０の誤動作を改善することができる。
【００５６】
また、タッチパネル１６０の大きさに応じてストッパー１４０を様々な形態で配置して、大型タッチパネルの長期使用によるタッチパネル１６０の歪み現象を防止することでタッチパネル１６０の耐久性を向上させることができる。
【００５７】
図４は、本発明の第２実施例に係るタッチパネルを含むディスプレイ装置の断面図であり、図５は、本発明の第３実施例に係るタッチパネルを含むディスプレイ装置の断面図である。
【００５８】
ウィンドウ基板１１０、電極パターン１１１、接着層１３０、ストッパー１４０およびディスプレイ部１５０と同様に、ウィンドウ基板２１０、３１０、第１、２電極パターン２１１、２２１、３１１、３２１、接着層２３０、３３０、ストッパー２４０、３４０およびディスプレイ部２５０、３５０は、タッチパネル２６０、３６０とディスプレイ部２５０、３５０との離隔空間Ｓにストッパー２４０、３４０を形成して、前記離隔空間Ｓの間隔変化によるタッチパネル２６０、３６０の誤作動を防止するための技術的特徴が共通する。そのため、これに対する各構成およびその関係に関する説明は、本発明の第１実施例に対応する構成の説明と重複するため、ここではその詳細な説明は省略する。
【００５９】
図４に示すように、本発明の第２実施例に係るタッチパネルを含むディスプレイ装置は、ウィンドウ基板２１０、前記ウィンドウ基板２１０の背面に一方向に互いに平行に形成される第１電極パターン２１１、前記第１電極パターン２１１上に形成された支持層２１３、および前記支持層２１３上に形成されて前記第１電極パターン２１１に交差する方向に互いに平行に形成される第２電極パターン２２１を含むタッチパネル２６０と、前記タッチパネル２６０の一面と接合するディスプレイ部２５０と、前記ディスプレイ部２５０と前記第２電極パターン２２１が対向して離隔空間Ｓを形成するように、前記ディスプレイ部２５０の縁部と前記タッチパネル２６０とを接合する接着層２３０と、前記離隔空間Ｓに形成されたストッパー２４０と、を含むことを特徴とする。
【００６０】
ここで、支持層２１３は、第１電極パターン２１１上に有機質または無機質の絶縁物質をスパッタリングなどの乾式コーティング法と、液滴を用いたインプリンティング、印刷等の湿式コーティング法で形成されることができ、前記絶縁物質は、ディスプレイ部２５０から出力される画像をユーザが認識することを妨害しないように透明な材料を用いることが好ましいため、パッシベーションのための全ての有機膜または無機膜（熱硬化性物質あるいはＵＶ硬化性物質またはＳｉＯ２などの酸化物、窒化物、等）を使用することができる。
【００６１】
図５に示すように、本発明の第３実施例に係るタッチパネルを含むディスプレイ装置は、ウィンドウ基板３１０、透明基板３２０、前記透明基板３２０の一面に一方向に互いに平行に形成される第１電極パターン３１１、および前記透明基板３２０の他面に前記第１電極パターン３１１に交差する方向に互いに平行に形成される第２電極パターン３２１を含むタッチパネル３６０と、前記タッチパネル３６０の一面と接合するディスプレイ部３５０と、前記ディスプレイ部３５０と前記第２電極パターン３２１が対向して離隔空間Ｓを形成するように、前記ディスプレイ部３５０の縁部と前記タッチパネル３６０とを接合する接着層３３０と、前記離隔空間Ｓに形成されたストッパー３４０と、を含むことを特徴とする。
【００６２】
ここで、絶縁層３１３は、ウィンドウ基板３１０と第１電極パターンとを接着する役割を行うものであり、ディスプレイ部３５０から出力される画像をユーザが認識することを妨害しないように透明な材料を用いることが好ましく、例えば、光学透明接着剤（Ｏｐｔｉｃａｌ  Ｃｌｅａｒ  Ａｄｈｅｓｉｖｅ、ＯＣＡ）を用いることができる。
【００６３】
本発明の第２実施例および第３実施例を用いて製作したタッチパネルを含むディスプレイ装置２０、３０もまた、タッチパネル２６０、３６０とディスプレイ部２５０、３５０との離隔空間Ｓに形成されたストッパー２４０、３４０により、ディスプレイ部２５０、３５０とタッチパネル２６０、３６０との間隔変化によるキャパシタンスの変化を防止してタッチパネル２６０、３６０の誤動作を改善することができる。
【００６４】
また、タッチパネル２６０、３６０の大きさに応じてストッパー２４０、３４０を様々な形態で配置して、大型タッチパネルの長期使用によるタッチパネル２６０、３６０の歪み現象を防止することでタッチパネル２６０、３６０の耐久性を向上させることができる。
【００６５】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００６６】
本発明の単純な変形乃至変更はいずれも本発明の領域に属するものであり、本発明の具体的な保護範囲は添付の特許請求の範囲により明確になるであろう。
【産業上の利用可能性】
【００６７】
本発明は、タッチパネルを含むディスプレイ装置に適用可能である。
【符号の説明】
【００６８】
Ｒ１  ベゼル領域
Ｒ２  ｖｉｅｗｉｎｇ領域
Ｓ  離隔空間
１０、２０、３０  タッチパネルを含むディスプレイ装置
１１０、２１０、３１０  ウィンドウ基板
１１１  電極パターン
１３０、２３０、３３０  接着層
１４０、２４０、３４０  ストッパー
１５０、２５０、３５０  ディスプレイ部
１６０、２６０、３６０  タッチパネル
２１１、３１１  第１電極パターン
２１３  支持層
２２１、３２１  第２電極パターン
３１３  絶縁層
【図１】
2014174978.tif 000003
【図２】
2014174978.tif 000004
【図３】
2014174978.tif 000005
【図４】
2014174978.tif 000006
【図５】
2014174978.tif 000007